(57)【特許請求の範囲】
【請求項１】
フロントオーディオ信号を電力増幅する第１パワーアンプと、リアオーディオ信号を電力増幅する第２パワーアンプと、Ａ系統フロントスピーカ出力端子と、Ｂ系統フロントスピーカ出力端子と、リアスピーカ出力端子とを備えたオーディオ装置において、
第１パワーアンプと第２パワーアンプの入力側に入力選択回路を設けるとともに、第１パワーアンプと第２パワーアンプの出力側に出力選択回路を設け、
Ａ系統の再生を行うとき、入力選択回路はフロントオーディオ信号を第１パワーアンプに出力するとともにリアオーディオ信号を第２パワーアンプに出力し、出力選択回路は第１パワーアンプの出力をＡ系統フロントスピーカ出力端子に出力するとともに第２パワーアンプの出力をリアスピーカ出力端子に出力し、（Ａ＋Ｂ）系統の再生を行うとき、入力選択回路はフロントオーディオ信号を第１パワーアンプと第２パワーアンプに出力し、出力選択回路は第１パワーアンプの出力をＡ系統フロントスピーカ出力端子に出力するとともに第２パワーアンプの出力をＢ系統フロントスピーカ出力端子に出力するようにしたこと、
を特徴とするオーディオ装置。
【請求項２】
Ｂ系統の再生を行うとき、入力選択回路はフロントオーディオ信号を第１パワーアンプに出力するとともにリアオーディオ信号を第２パワーアンプに出力し、出力選択回路は第１パワーアンプの出力をＢ系統フロントスピーカ出力端子に出力するとともに第２パワーアンプの出力をリアスピーカ出力端子に出力するか、または、入力選択回路はフロントオーディオ信号を第２パワーアンプに出力するとともにリアオーディオ信号を第１パワーアンプに出力し、出力選択回路は第２パワーアンプの出力をＢ系統フロントスピーカ出力端子に出力するとともに第１パワーアンプの出力をリアスピーカ出力端子に出力するようにしたこと、
を特徴とする請求項１記載のオーディオ装置。
【請求項３】
フロントオーディオ信号を電力増幅する第１パワーアンプと、リアオーディオ信号を電力増幅する第２パワーアンプと、Ａ系統フロントスピーカ出力端子と、Ｂ系統フロントスピーカ出力端子と、リアスピーカ出力端子とを備えたオーディオ装置において、
第１パワーアンプと第２パワーアンプの入力側に入力選択回路を設けるとともに、第１パワーアンプと第２パワーアンプの出力側に出力選択回路を設け、
Ａ系統の再生を行うとき、入力選択回路はフロントオーディオ信号を第１パワーアンプに出力するとともにリアオーディオ信号を第２パワーアンプに出力し、出力選択回路は第１パワーアンプの出力をＡ系統フロントスピーカ出力端子に出力するとともに第２パワーアンプの出力をリアスピーカ出力端子に出力し、Ｂ系統の再生を行うとき、入力選択回路はフロントオーディオ信号を第２パワーアンプに出力するとともにリアオーディオ信号を第１パワーアンプに出力し、出力選択回路は第２パワーアンプの出力をＢ系統フロントスピーカ出力端子に出力するとともに第１パワーアンプの出力をリアスピーカ出力端子に出力するようにしたこと、
を特徴とするオーディオ装置。
【請求項４】
フロントオーディオ信号に対し音量調整する第１音量調整回路と、第１音量調整回路の出力を電力増幅する第１パワーアンプと、リアオーディオ信号に対し音量調整する第２音量調整回路と、第２音量調整回路の出力を電力増幅する第２パワーアンプと、Ａ系統フロントスピーカ出力端子と、Ｂ系統フロントスピーカ出力端子と、リアスピーカ出力端子とを備えたオーディオ装置において、
第１音量調整回路と第２音量調整回路の入力側に入力選択回路を設けるとともに、第１パワーアンプと第２パワーアンプの出力側に出力選択回路を設け、
Ａ系統の再生を行うとき、入力選択回路はフロントオーディオ信号を第１音量調整回路に出力するとともにリアオーディオ信号を第２音量調整回路に出力し、出力選択回路は第１パワーアンプの出力をＡ系統フロントスピーカ出力端子に出力するとともに第２パワーアンプの出力をリアスピーカ出力端子に出力し、（Ａ＋Ｂ）系統の再生を行うとき、入力選択回路はフロントオーディオ信号を第１音量調整回路と第２音量調整回路に出力し、出力選択回路は第１パワーアンプの出力をＡ系統フロントスピーカ出力端子に出力するとともに第２パワーアンプの出力をＢ系統フロントスピーカ出力端子に出力するようにしたこと、
を特徴とするオーディオ装置。
【請求項５】
Ｂ系統の再生を行うとき、入力選択回路はフロントオーディオ信号を第１音量調整回路に出力するとともにリアオーディオ信号を第２音量調整回路に出力し、出力選択回路は第１パワーアンプの出力をＢ系統フロントスピーカ出力端子に出力するとともに第２パワーアンプの出力をリアスピーカ出力端子に出力するか、または、入力選択回路はフロントオーディオ信号を第２音量調整回路に出力するとともにリアオーディオ信号を第１音量調整回路に出力し、出力選択回路は第２パワーアンプの出力をＢ系統フロントスピーカ出力端子に出力するとともに第１パワーアンプの出力をリアスピーカ出力端子に出力するようにしたこと、
を特徴とする請求項４記載のオーディオ装置。
【請求項６】
フロントオーディオ信号に対し音量調整する第１音量調整回路と、第１音量調整回路の出力を電力増幅する第１パワーアンプと、リアオーディオ信号に対し音量調整する第２音量調整回路と、第２音量調整回路の出力を電力増幅する第２パワーアンプと、Ａ系統フロントスピーカ出力端子と、Ｂ系統フロントスピーカ出力端子と、リアスピーカ出力端子とを備えたオーディオ装置において、
第１音量調整回路と第２音量調整回路の入力側に入力選択回路を設けるとともに、第１パワーアンプと第２パワーアンプの出力側に出力選択回路を設け、
Ａ系統の再生を行うとき、入力選択回路はフロントオーディオ信号を第１音量調整回路に出力するとともにリアオーディオ信号を第２音量調整回路に出力し、出力選択回路は第１パワーアンプの出力をＡ系統フロントスピーカ出力端子に出力するとともに第２パワーアンプの出力をリアスピーカ出力端子に出力し、Ｂ系統の再生を行うとき、入力選択回路はフロントオーディオ信号を第２音量調整回路に出力するとともにリアオーディオ信号を第１音量調整回路に出力し、出力選択回路は第２パワーアンプの出力をＢ系統フロントスピーカ出力端子に出力するとともに第１パワーアンプの出力をリアスピーカ出力端子に出力するようにしたこと、
を特徴とするオーディオ装置。
【請求項７】
第１出力端子からアナログフロントオーディオ信号を出力し、第２出力端子からアナログリアオーディオ信号を出力するＤ／Ａ変換器と、アナログフロントオーディオ信号の出力を電力増幅する第１パワーアンプと、アナログリアオーディオ信号を電力増幅する第２パワーアンプと、Ａ系統フロントスピーカ出力端子と、Ｂ系統フロントスピーカ出力端子と、リアスピーカ出力端子と、を備えたオーディオ装置において、
Ｄ／Ａ変換器は、動作モードを第１モードと第２モードに切り換え可能とし、第１動作モードのとき、第１出力端子からアナログフロントオーディオ信号、第２出力端子からアナログリアオーディオ信号を出力し、第２動作モードのとき、第１出力端子と第２出力端子からともにアナログフロントオーディオ信号を出力するようにしておき、
第１パワーアンプと第２パワーアンプの出力側に出力選択回路を設け、
Ａ系統の再生を行うとき、Ｄ／Ａ変換器を第１動作モードに切り換え、出力選択回路は第１パワーアンプの出力をＡ系統フロントスピーカ出力端子に出力し、第２パワーアンプの出力をリアスピーカ出力端子に出力するようにし、（Ａ＋Ｂ）系統の再生を行うとき、Ｄ／Ａ変換器を第２動作モードに切り換え、出力選択回路は第１パワーアンプの出力をＡ系統フロントスピーカ出力端子に出力し、第２パワーアンプの出力をＢ系統フロントスピーカ出力端子に出力するようにしたこと、
を特徴とするオーディオ装置。
【請求項８】
Ｂ系統の再生を行うとき、Ｄ／Ａ変換器を第１動作モードに切り換え、
出力選択回路は第１パワーアンプの出力をＢ系統フロントスピーカ出力端子に出力し、第２パワーアンプの出力をリアスピーカ出力端子に出力するか、または、第２パワーアンプの出力をＢ系統フロントスピーカ出力端子に出力し、第１パワーアンプの出力をリアスピーカ出力端子に出力するようにしたこと、
を特徴とする請求項７記載のオーディオ装置。
【請求項９】
第１出力端子からアナログフロントオーディオ信号を出力し、第２出力端子からアナログリアオーディオ信号を出力するＤ／Ａ変換器と、アナログフロントオーディオ信号の出力を電力増幅する第１パワーアンプと、アナログリアオーディオ信号を電力増幅する第２パワーアンプと、Ａ系統フロントスピーカ出力端子と、Ｂ系統フロントスピーカ出力端子と、リアスピーカ出力端子と、を備えたオーディオ装置において、
Ｄ／Ａ変換器は、動作モードを第１モードと第２モードに切り換え可能とし、第１動作モードのとき、第１出力端子からアナログフロントオーディオ信号、第２出力端子からアナログリアオーディオ信号を出力し、第２動作モードのとき、第２出力端子からアナログフロントオーディオ信号、第１出力端子からアナログリアオーディオ信号を出力するようにし、
第１パワーアンプと第２パワーアンプの出力側に出力選択回路を設け、
Ａ系統の再生を行うとき、Ｄ／Ａ変換器を第１動作モードに切り換え、出力選択回路は第１パワーアンプの出力をＡ系統フロントスピーカ出力端子に出力し、第２パワーアンプの出力をリアスピーカ出力端子に出力するようにし、Ｂ系統の再生を行うとき、Ｄ／Ａ変換器を第２動作モードに切り換え、出力選択回路は第２パワーアンプの出力をＢ系統フロントスピーカ出力端子に出力し、第１パワーアンプの出力をリアスピーカ出力端子に出力するようにしたこと、
を特徴とするオーディオ装置。
【発明の詳細な説明】
【０００１】
【発明の属する技術分野】
本発明はオーディオ装置に係り、とくに、Ａ系統のフロントスピーカとＢ系統のフロントスピーカを駆動可能なオーディオ装置に関する。
【０００２】
【従来の技術】
フロント側のスピーカシステムをＡ系統とＢ系統の２系統設け、通常はＡ系統だけで音響再生し（Ａ系統モード）、音場を変えたい場合に（Ａ＋Ｂ）系統に切り換え（（Ａ＋Ｂ）系統モード）、Ａ系統とＢ系統の両方から音響再生するようにした音響再生システムが有る。
【０００３】
図５はＡ系統モードでの再生と、（Ａ＋Ｂ）系統モードでの再生を切り換え可能なサラウンドオーディオ再生系の一例を示す回路図である。所定のオーディオソースから入力されたＬｃｈとＲｃｈのサラウンド用のアナログオーディオ信号ＬＴとＲＴは、Ａ／Ｄ変換器１でディジタルオーディオ信号ＬＴ（Ｄ）  、ＲＴ（Ｄ）  に変換されたあと、ＤＳＰ（ディジタルシグナルプロセッサ）２で所定の演算が施されてサラウンド音場を再生するためのディジタルステレオフロントオーディオ信号ＦＬ（Ｄ）  、ＦＲ（Ｄ）  と、ディジタルステレオリアオーディオ信号ＲＬ（ＲＤ）、ＲＲ（Ｄ）  が出力される。ＦＬ（ＦＤ）とＦＲ（ＦＤ）は、Ｄ／Ａ変換器３でＤ／Ａ変換され、第１出力端子Ｌ１、Ｒ１からＬｃｈとＲｃｈのアナログステレオフロントオーディオ信号ＦＬ（Ａ）  、ＦＲ（Ａ）  が出力され、第２出力端子Ｌ２、Ｒ２からＬｃｈとＲｃｈのアナログステレオリアオーディオ信号ＲＬ（Ａ）  、ＲＲ（Ａ）  が出力される。
【０００４】
Ｄ／Ａ変換器３の第１出力端子Ｌ１、Ｒ１から出力されたＦＬ（Ａ）  、ＦＲ（Ａ）  は、アンチエリアシングフィルタ４Ｌ、４Ｒ、第１音量調整回路５Ｌ、５Ｒを経てフロントパワーアンプ６Ｌ、６Ｒに入力され、電力増幅されたのち、リレースイッチ７Ｌ、７Ｒ、Ａ系統のフロントスピーカ出力端子ＳＰＦＬ（Ａ）  、ＳＰＦＲ（Ａ）  を経て、Ａ系統のフロントスピーカ８Ｌ、８Ｒに入力される。また、Ｄ／Ａ変換器３の第２出力端子Ｌ２、Ｒ２から出力されたＲＬ（Ａ）  、ＲＲ（Ａ）  は、アンチエリアシングフィルタ９Ｌ、９Ｒ、第２音量調整回路１０Ｌ、１０Ｒを経てリアパワーアンプ１１Ｌ、１１Ｒに入力され、電力増幅されたのち、リレースイッチ１２Ｌ、１２Ｒ、リアスピーカ出力端子ＳＰＲＬ、ＳＰＲＲを経て、リアスピーカ１３Ｌ、１３Ｒに入力される。
また、フロントパワーアンプ６Ｌ、６Ｒの出力は、リレースイッチ１４Ｌ、１４Ｒ、Ｂ系統のフロントスピーカ出力端子ＳＰＦＬ（Ｂ）  、ＳＰＦＲ（Ｂ）  を経て、Ｂ系統のフロントスピーカ１５Ｌ、１５Ｒに入力される。
【０００５】
このように構成されたサラウンドオーディオ再生系において、ユーザがスピーカ出力系統の切り換えを行う操作パネル１６でＯＦＦのポジションに切り換えているとき、マイコン構成のコントローラ１７はリレースイッチ７Ｌ、７Ｒ、１２Ｌ、１２Ｒ、１４Ｌ、１４Ｒのいずれも開状態とさせており、いずれのスピーカ出力もオフさせている。
ユーザが操作パネル１６でＡポジションへの切り換え操作をすると、コントローラ１７はリレースイッチ７Ｌ、７Ｒと１２Ｌ、１２Ｒを閉とさせ、１４Ｌ、１４Ｒは開のままとする。この結果、フロントスピーカ８Ｌ、８Ｒがフロントパワーアンプ６Ｌ、６Ｒの出力で駆動され、リアスピーカ１３Ｌ、１３Ｒがリアパワーアンプ１１Ｌ、１１Ｒで駆動され、通常のサラウンド音場が実現される。
【０００６】
これと異なり、ユーザが操作パネル１６で（Ａ＋Ｂ）ポジションへの切り換え操作をすると、コントローラ１７はリレースイッチ７Ｌ、７Ｒと１２Ｌ、１２Ｒと１４Ｌ、１４Ｒの全てを閉とさせる。この結果、Ａ系統のフロントスピーカ８Ｌ、８ＲとＢ系統のフロントスピーカ１５Ｌ、１５Ｒの両方がフロントパワーアンプ６Ｌ、６Ｒの出力で駆動されるので、フロント側の音響の広がり感が増し、また音場が豊かになる。
【０００７】
なお、図５のサラウンドオーディオ再生系がＢ系統モードへの切り換えが可能な場合、ユーザが操作パネル１６でＢポジションへの切り換え操作をすると、コントローラ１７はリレースイッチ１２Ｌ、１２Ｒと１４Ｌ、１４Ｒを閉とさせ、７Ｌと７Ｒを開とさせる。この結果、Ｂ系統のフロントスピーカ１５Ｌ、１５Ｒがフロントパワーアンプ６Ｌ、６Ｒの出力で駆動され、リアスピーカ１３Ｌ、１３Ｒがリアパワーアンプ１１Ｌ、１１Ｒで駆動され、Ｂ系統のフロントスピーカを用いたサラウンド音場が実現される。
【０００８】
【発明が解決しようとする課題】
けれども、上記した従来のサラウンドオーディオ再生系では、（Ａ＋Ｂ）系統で再生する際、Ａ系統とＢ系統の２組のフロントスピーカ８Ｌ、８Ｒと１５Ｌ、１５Ｒを全て１組のフロントパワーアンプ６Ｌ、６Ｒで駆動するため、該フロントパワーアンプ６Ｌ、６Ｒの負荷が重くなり、歪が大きくなるなど音質が悪化してしまうという問題があった。
また、フロントパワーアンプ６Ｌ、６Ｒの終段パワートランジスタに大きな電流が流れるとともに、温度上昇も大きくなるので、容量の大きな終段パワートランジスタと放熱器が必要となり、構成上の負担が大きく、コストが増大するという問題もあった。
【０００９】
また、Ａ系統だけでの再生とＢ系統だけでの再生を行う際、いずれもアロナグステレオフロントオーディオ信号をフロントパワーアンプ６Ｌ、６Ｒで増幅し、Ａ系統のフロントスピーカ８Ｌ、８ＲまたはＢ系統のフロントスピーカ１５Ｌ、１５Ｒを駆動するため、Ｂ系統のフロントスピーカ１５Ｌ、１５Ｒとフロントパワーアンプ６Ｌ、６Ｒの組み合わせではあまり良い総合音場特性が得られない場合があった。
本発明は上記した従来技術の問題に鑑み、良好な音響再生が可能なオーディオ装置を提供することを、その目的とする。
【００１０】
【課題を解決するための手段】
本発明の請求項１記載のオーディオ装置では、フロントオーディオ信号を電力増幅する第１パワーアンプと、リアオーディオ信号を電力増幅する第２パワーアンプと、Ａ系統フロントスピーカ出力端子と、Ｂ系統フロントスピーカ出力端子と、リアスピーカ出力端子とを備えたオーディオ装置において、第１パワーアンプと第２パワーアンプの入力側に入力選択回路を設けるとともに、第１パワーアンプと第２パワーアンプの出力側に出力選択回路を設け、Ａ系統の再生を行うとき、入力選択回路はフロントオーディオ信号を第１パワーアンプに出力するとともにリアオーディオ信号を第２パワーアンプに出力し、出力選択回路は第１パワーアンプの出力をＡ系統フロントスピーカ出力端子に出力するとともに第２パワーアンプの出力をリアスピーカ出力端子に出力し、（Ａ＋Ｂ）系統の再生を行うとき、入力選択回路はフロントオーディオ信号を第１パワーアンプと第２パワーアンプに出力し、出力選択回路は第１パワーアンプの出力をＡ系統フロントスピーカ出力端子に出力するとともに第２パワーアンプの出力をＢ系統フロントスピーカ出力端子に出力するようにしたこと、を特徴としている。
【００１１】
これにより、Ａ系統の再生を行うときは、フロントオーディオ信号を第１パワーアンプで電力増幅させたあとＡ系統のフロントスピーカを駆動させ、リアオーディオ信号を第２パワーアンプで電力増幅させたあとリアスピーカを駆動させることで、サラウンド音場の実現が可能となる。一方、（Ａ＋Ｂ）系統の再生を行うときは、フロントオーディオ信号を第１パワーアンプで電力増幅させたあとＡ系統のフロントスピーカを駆動させ、またフロントオーディオ信号を第２パワーアンプで電力増幅させたあとＢ系統のフロントスピーカを駆動させることで、第１パワーアンプ、第２パワーアンプに負担を掛けることなく（Ａ＋Ｂ）系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。
【００１２】
本願請求項２記載のオーディオ装置では、請求項１記載の装置において、Ｂ系統の再生を行うとき、入力選択回路はフロントオーディオ信号を第１パワーアンプに出力するとともにリアオーディオ信号を第２パワーアンプに出力し、出力選択回路は第１パワーアンプの出力をＢ系統フロントスピーカ出力端子に出力するとともに第２パワーアンプの出力をリアスピーカ出力端子に出力するか、または、入力選択回路はフロントオーディオ信号を第２パワーアンプに出力するとともにリアオーディオ信号を第１パワーアンプに出力し、出力選択回路は第２パワーアンプの出力をＢ系統フロントスピーカ出力端子に出力するとともに第１パワーアンプの出力をリアスピーカ出力端子に出力するようにしたこと、を特徴としている。
【００１３】
これにより、Ｂ系統の再生を行うときは、フロントオーディオ信号を第１パワーアンプで電力増幅させたあとＢ系統のフロントスピーカを駆動させ、リアオーディオ信号を第２パワーアンプで電力増幅させたあとリアスピーカを駆動させるか、または、フロントオーディオ信号を第２パワーアンプで電力増幅させたあとＢ系統のフロントスピーカを駆動させ、リアオーディオ信号を第１パワーアンプで電力増幅させたあとリアスピーカを駆動させることで、第１パワーアンプ、第２パワーアンプに負担を掛けることなくＢ系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。
とくに、第１パワーアンプとＡ系統フロントスピーカを組み合わせた総合音場特性が良好であり、第２パワーアンプとＢ系統フロントスピーカを組み合わせた総合音場特性が良好な場合、Ａ系統の再生を行うときと、Ｂ系統の再生を行うときに、いずれも良好な総合音場特性を実現できる。
【００１４】
本願請求項３記載のオーディオ装置では、フロントオーディオ信号を電力増幅する第１パワーアンプと、リアオーディオ信号を電力増幅する第２パワーアンプと、Ａ系統フロントスピーカ出力端子と、Ｂ系統フロントスピーカ出力端子と、リアスピーカ出力端子とを備えたオーディオ装置において、第１パワーアンプと第２パワーアンプの入力側に入力選択回路を設けるとともに、第１パワーアンプと第２パワーアンプの出力側に出力選択回路を設け、Ａ系統の再生を行うとき、入力選択回路はフロントオーディオ信号を第１パワーアンプに出力するとともにリアオーディオ信号を第２パワーアンプに出力し、出力選択回路は第１パワーアンプの出力をＡ系統フロントスピーカ出力端子に出力するとともに第２パワーアンプの出力をリアスピーカ出力端子に出力し、Ｂ系統の再生を行うとき、入力選択回路はフロントオーディオ信号を第２パワーアンプに出力するとともにリアオーディオ信号を第１パワーアンプに出力し、出力選択回路は第２パワーアンプの出力をＢ系統フロントスピーカ出力端子に出力するとともに第１パワーアンプの出力をリアスピーカ出力端子に出力するようにしたこと、を特徴としている。
【００１５】
これにより、Ａ系統の再生を行うときは、フロントオーディオ信号を第１パワーアンプで電力増幅させたあとＡ系統のフロントスピーカを駆動させ、リアオーディオ信号を第２パワーアンプで電力増幅させたあとリアスピーカを駆動させ、Ｂ系統の再生を行うときは、フロントオーディオ信号を第２パワーアンプで電力増幅させたあとＢ系統のフロントスピーカを駆動させ、リアオーディオ信号を第１パワーアンプで電力増幅させたあとリアスピーカを駆動させることで、サラウンド音場の実現が可能となり、また、第１パワーアンプ、第２パワーアンプに負担を掛けることなくＢ系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。とくに、第１パワーアンプとＡ系統フロントスピーカを組み合わせた総合音場特性が良好であり、第２パワーアンプとＢ系統フロントスピーカを組み合わせた総合音場特性が良好な場合、Ａ系統の再生を行うときと、Ｂ系統の再生を行うときに、いずれも良好な総合音場特性を実現できる。
【００１６】
本願請求項４記載のオーディオ装置では、フロントオーディオ信号に対し音量調整する第１音量調整回路と、第１音量調整回路の出力を電力増幅する第１パワーアンプと、リアオーディオ信号に対し音量調整する第２音量調整回路と、第２音量調整回路の出力を電力増幅する第２パワーアンプと、Ａ系統フロントスピーカ出力端子と、Ｂ系統フロントスピーカ出力端子と、リアスピーカ出力端子とを備えたオーディオ装置において、第１音量調整回路と第２音量調整回路の入力側に入力選択回路を設けるとともに、第１パワーアンプと第２パワーアンプの出力側に出力選択回路を設け、Ａ系統の再生を行うとき、入力選択回路はフロントオーディオ信号を第１音量調整回路に出力するとともにリアオーディオ信号を第２音量調整回路に出力し、出力選択回路は第１パワーアンプの出力をＡ系統フロントスピーカ出力端子に出力するとともに第２パワーアンプの出力をリアスピーカ出力端子に出力し、（Ａ＋Ｂ）系統の再生を行うとき、入力選択回路はフロントオーディオ信号を第１音量調整回路と第２音量調整回路に出力し、出力選択回路は第１パワーアンプの出力をＡ系統フロントスピーカ出力端子に出力するとともに第２パワーアンプの出力をＢ系統フロントスピーカ出力端子に出力するようにしたこと、を特徴としている。
【００１７】
これにより、Ａ系統の再生を行うときは、フロントオーディオ信号を第１パワーアンプで電力増幅させたあとＡ系統のフロントスピーカを駆動させ、リアオーディオ信号を第２パワーアンプで電力増幅させたあとリアスピーカを駆動させることで、サラウンド音場の実現が可能となる。また、第１音量調整回路と第２音量調整回路により、フロント側とリア側の音量を独立して調整できる。
一方、（Ａ＋Ｂ）系統の再生を行うときは、フロントオーディオ信号を第１パワーアンプで電力増幅させたあとＡ系統のフロントスピーカを駆動させ、またフロントオーディオ信号を第２パワーアンプで電力増幅させたあとＢ系統のフロントスピーカを駆動させることで、第１パワーアンプ、第２パワーアンプに負担を掛けることなく（Ａ＋Ｂ）系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。更に、第１音量調整回路と第２音量調整回路により、Ａ系統とＢ系統の音量を独立して調整できる。
【００１８】
本願請求項５記載のオーディオ装置では、請求項４記載の装置において、Ｂ系統の再生を行うとき、入力選択回路はフロントオーディオ信号を第１音量調整回路に出力するとともにリアオーディオ信号を第２音量調整回路に出力し、出力選択回路は第１パワーアンプの出力をＢ系統フロントスピーカ出力端子に出力するとともに第２パワーアンプの出力をリアスピーカ出力端子に出力するか、または、入力選択回路はフロントオーディオ信号を第２音量調整回路に出力するとともにリアオーディオ信号を第１音量調整回路に出力し、出力選択回路は第２パワーアンプの出力をＢ系統フロントスピーカ出力端子に出力するとともに第１パワーアンプの出力をリアスピーカ出力端子に出力するようにしたこと、を特徴としている。
【００１９】
これにより、Ｂ系統の再生を行うときは、フロントオーディオ信号を第１パワーアンプで電力増幅させたあとＢ系統のフロントスピーカを駆動させ、リアオーディオ信号を第２パワーアンプで電力増幅させたあとリアスピーカを駆動させるか、または、フロントオーディオ信号を第２パワーアンプで電力増幅させたあとＢ系統のフロントスピーカを駆動させ、リアオーディオ信号を第１パワーアンプで電力増幅させたあとリアスピーカを駆動させることで、サラウンド音場の実現が可能となり、また、第１パワーアンプ、第２パワーアンプに負担を掛けることなくＢ系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。また、第１音量調整回路と第２音量調整回路により、フロント側とリア側の音量を独立して調整できる。
とくに、第１パワーアンプとＡ系統フロントスピーカを組み合わせた総合音場特性が良好であり、第２パワーアンプとＢ系統フロントスピーカを組み合わせた総合音場特性が良好な場合、Ａ系統の再生を行うときと、Ｂ系統の再生を行うときに、いずれも良好な総合音場特性を実現できる。
【００２０】
本願請求項６記載のオーディオ装置では、フロントオーディオ信号に対し音量調整する第１音量調整回路と、第１音量調整回路の出力を電力増幅する第１パワーアンプと、リアオーディオ信号に対し音量調整する第２音量調整回路と、第２音量調整回路の出力を電力増幅する第２パワーアンプと、Ａ系統フロントスピーカ出力端子と、Ｂ系統フロントスピーカ出力端子と、リアスピーカ出力端子とを備えたオーディオ装置において、第１音量調整回路と第２音量調整回路の入力側に入力選択回路を設けるとともに、第１パワーアンプと第２パワーアンプの出力側に出力選択回路を設け、Ａ系統の再生を行うとき、入力選択回路はフロントオーディオ信号を第１音量調整回路に出力するとともにリアオーディオ信号を第２音量調整回路に出力し、出力選択回路は第１パワーアンプの出力をＡ系統フロントスピーカ出力端子に出力するとともに第２パワーアンプの出力をリアスピーカ出力端子に出力し、Ｂ系統の再生を行うとき、入力選択回路はフロントオーディオ信号を第２音量調整回路に出力するとともにリアオーディオ信号を第１音量調整回路に出力し、出力選択回路は第２パワーアンプの出力をＢ系統フロントスピーカ出力端子に出力するとともに第１パワーアンプの出力をリアスピーカ出力端子に出力するようにしたこと、を特徴としている。
【００２１】
これにより、Ａ系統の再生を行うときは、フロントオーディオ信号を第１パワーアンプで電力増幅させたあとＡ系統のフロントスピーカを駆動させ、リアオーディオ信号を第２パワーアンプで電力増幅させたあとリアスピーカを駆動させ、Ｂ系統の再生を行うときは、フロントオーディオ信号を第２パワーアンプで電力増幅させたあとＢ系統のフロントスピーカを駆動させ、リアオーディオ信号を第１パワーアンプで電力増幅させたあとリアスピーカを駆動させることで、サラウンド音場の実現が可能となり、また、第１パワーアンプ、第２パワーアンプに負担を掛けることなくＢ系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。また、Ａ系統とＢ系統のいずれを再生する場合でも、第１音量調整回路と第２音量調整回路により、フロント側とリア側の音量を独立して調整できる。
とくに、第１パワーアンプとＡ系統フロントスピーカを組み合わせた総合音場特性が良好であり、第２パワーアンプとＢ系統フロントスピーカを組み合わせた総合音場特性が良好な場合、Ａ系統の再生を行うときと、Ｂ系統の再生を行うときに、いずれも良好な総合音場特性を実現できる。
【００２２】
本願請求項７記載のオーディオ装置では、第１出力端子からアナログフロントオーディオ信号を出力し、第２出力端子からアナログリアオーディオ信号を出力するＤ／Ａ変換器と、アナログフロントオーディオ信号の出力を電力増幅する第１パワーアンプと、アナログリアオーディオ信号を電力増幅する第２パワーアンプと、Ａ系統フロントスピーカ出力端子と、Ｂ系統フロントスピーカ出力端子と、リアスピーカ出力端子と、を備えたオーディオ装置において、Ｄ／Ａ変換器は、動作モードを第１モードと第２モードに切り換え可能とし、第１動作モードのとき、第１出力端子からアナログフロントオーディオ信号、第２出力端子からアナログリアオーディオ信号を出力し、第２動作モードのとき、第１出力端子と第２出力端子からともにアナログフロントオーディオ信号を出力するようにしておき、第１パワーアンプと第２パワーアンプの出力側に出力選択回路を設け、Ａ系統の再生を行うとき、Ｄ／Ａ変換器を第１動作モードに切り換え、出力選択回路は第１パワーアンプの出力をＡ系統フロントスピーカ出力端子に出力し、第２パワーアンプの出力をリアスピーカ出力端子に出力するようにし、（Ａ＋Ｂ）系統の再生を行うとき、Ｄ／Ａ変換器を第２動作モードに切り換え、出力選択回路は第１パワーアンプの出力をＡ系統フロントスピーカ出力端子に出力し、第２パワーアンプの出力をＢ系統フロントスピーカ出力端子に出力するようにしたこと、を特徴としている。
【００２３】
これにより、Ａ系統の再生を行うときは、フロントオーディオ信号を第１パワーアンプで電力増幅させたあとＡ系統のフロントスピーカを駆動させ、リアオーディオ信号を第２パワーアンプで電力増幅させたあとリアスピーカを駆動させることで、サラウンド音場の実現が可能となる。一方、（Ａ＋Ｂ）系統の再生を行うときは、フロントオーディオ信号を第１パワーアンプで電力増幅させたあとＡ系統のフロントスピーカを駆動させ、またフロントオーディオ信号を第２パワーアンプで電力増幅させたあとＢ系統のフロントスピーカを駆動させることで、第１パワーアンプ、第２パワーアンプに負担を掛けることなく（Ａ＋Ｂ）系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。
【００２４】
本願請求項８記載のオーディオ装置では、請求項７記載の装置において、Ｂ系統の再生を行うとき、Ｄ／Ａ変換器を第１動作モードに切り換え、出力選択回路は第１パワーアンプの出力をＢ系統フロントスピーカ出力端子に出力し、第２パワーアンプの出力をリアスピーカ出力端子に出力するか、または、第２パワーアンプの出力をＢ系統フロントスピーカ出力端子に出力し、第１パワーアンプの出力をリアスピーカ出力端子に出力するようにしたこと、を特徴としている。
【００２５】
これにより、Ｂ系統の再生を行うときは、フロントオーディオ信号を第１パワーアンプで電力増幅させたあとＢ系統のフロントスピーカを駆動させ、リアオーディオ信号を第２パワーアンプで電力増幅させたあとリアスピーカを駆動させるか、または、フロントオーディオ信号を第２パワーアンプで電力増幅させたあとＢ系統のフロントスピーカを駆動させ、リアオーディオ信号を第１パワーアンプで電力増幅させたあとリアスピーカを駆動させることで、サラウンド音場の実現が可能となり、また、第１パワーアンプ、第２パワーアンプに負担を掛けることなくＢ系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。
とくに、第１パワーアンプとＡ系統フロントスピーカを組み合わせた総合音場特性が良好であり、第２パワーアンプとＢ系統フロントスピーカを組み合わせた総合音場特性が良好な場合、Ａ系統の再生を行うときと、Ｂ系統の再生を行うときに、いずれも良好な総合音場特性を実現できる。
【００２６】
本願請求項９記載のオーディオ装置では、第１出力端子からアナログフロントオーディオ信号を出力し、第２出力端子からアナログリアオーディオ信号を出力するＤ／Ａ変換器と、アナログフロントオーディオ信号の出力を電力増幅する第１パワーアンプと、アナログリアオーディオ信号を電力増幅する第２パワーアンプと、Ａ系統フロントスピーカ出力端子と、Ｂ系統フロントスピーカ出力端子と、リアスピーカ出力端子と、を備えたオーディオ装置において、Ｄ／Ａ変換器は、動作モードを第１モードと第２モードに切り換え可能とし、第１動作モードのとき、第１出力端子からアナログフロントオーディオ信号、第２出力端子からアナログリアオーディオ信号を出力し、第２動作モードのとき、第２出力端子からアナログフロントオーディオ信号、第１出力端子からアナログリアオーディオ信号を出力するようにし、第１パワーアンプと第２パワーアンプの出力側に出力選択回路を設け、Ａ系統の再生を行うとき、Ｄ／Ａ変換器を第１動作モードに切り換え、出力選択回路は第１パワーアンプの出力をＡ系統フロントスピーカ出力端子に出力し、第２パワーアンプの出力をリアスピーカ出力端子に出力するようにし、Ｂ系統の再生を行うとき、Ｄ／Ａ変換器を第２動作モードに切り換え、出力選択回路は第２パワーアンプの出力をＢ系統フロントスピーカ出力端子に出力し、第１パワーアンプの出力をリアスピーカ出力端子に出力するようにしたこと、を特徴としている。
【００２７】
これにより、Ａ系統の再生を行うときは、フロントオーディオ信号を第１パワーアンプで電力増幅させたあとＡ系統のフロントスピーカを駆動させ、リアオーディオ信号を第２パワーアンプで電力増幅させたあとリアスピーカを駆動させ、Ｂ系統の再生を行うときは、フロントオーディオ信号を第２パワーアンプで電力増幅させたあとＢ系統のフロントスピーカを駆動させ、リアオーディオ信号を第１パワーアンプで電力増幅させたあとリアスピーカを駆動させることで、サラウンド音場の実現が可能となり、また、第１パワーアンプ、第２パワーアンプに負担を掛けることなくＢ系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。とくに、第１パワーアンプとＡ系統フロントスピーカを組み合わせた総合音場特性が良好であり、第２パワーアンプとＢ系統フロントスピーカを組み合わせた総合音場特性が良好な場合、Ａ系統の再生を行うときと、Ｂ系統の再生を行うときに、いずれも良好な総合音場特性を実現できる。
【００２８】
【発明の実施の形態】
次に、図１を参照して本発明の第１の実施の形態を説明する。
図１は本発明に係るサラウンドオーディオ再生系のブロック図であり、図５と同一の構成部分には同一の符号が付してある。
第１音量調整回路５Ｌ、５Ｒ、第２音量調整回路１０Ｌ、１０Ｒの出力側と、フロントパワーアンプ６Ｌ、６Ｒ、リアパワーアンプ１１Ｌ、１１Ｒの入力側との間に、入力選択回路２０が介装されている。この入力選択回路２０では、第１音量調整回路５Ｌ、５Ｒの出力側はそのままフロントパワーアンプ６Ｌ、６Ｒと接続されている。
【００２９】
一方、リアパワーアンプ１１Ｌ、１１Ｒの入力側には、マイコン構成のコントローラ１７Ａによって切り換え制御がされる切り換え回路２０Ｌ、２０Ｒが設けられており、リアパワーアンプ１１Ｌの入力側を、第１音量調整回路５Ｌと第２音量調整回路１０Ｌとの間で切り換え可能となっており、リアパワーアンプ１１Ｒの入力側を、第１音量調整回路５Ｒと第２音量調整回路１０Ｒとの間で切り換え可能となっている。Ｂ系統のフロントスピーカ出力端子ＳＰＦＬ（Ｂ）  、ＳＰＦＲ（Ｂ）  と接続されたリレースイッチ１４Ｌ、１４Ｒは、リアパワーアンプ１１Ｌ、１１Ｒと接続されている。リレースイッチ７Ｌ、７Ｒ、１２Ｌ、１２Ｒ、１４Ｌ、１４Ｒにより、出力選択回路３０が構成されている。
その他の構成部分は図５と同一に構成されている。
【００３０】
このように構成されたサラウンドオーディオ再生系において、ユーザが操作パネル１６でＯＦＦのポジションに切り換えているとき、コントローラ１７Ａは出力選択回路３０のリレースイッチ７Ｌ、７Ｒ、１２Ｌ、１２Ｒ、１４Ｌ、１４Ｒのいずれも開状態とさせており、いずれのスピーカ出力もオフさせている。
ユーザが操作パネル１６でＡ系統モードであるＡポジションへの切り換え操作をすると、コントローラ１７Ａは入力選択回路２０の切り換え回路２０Ｌ、２０Ｒを第２音量調整回路１０Ｌ、１０Ｒの側に切り換えさせ、出力選択回路３０のリレースイッチ７Ｌ、７Ｒと１２Ｌ、１２Ｒを閉とさせ、１４Ｌ、１４Ｒは開のままとする。
【００３１】
この結果、フロントパワーアンプ６Ｌ、６Ｒは、第１音量調整回路５Ｌ、５Ｒから出力されたアナログステレオフロントオーディオ信号ＦＬ（Ａ）  ´、ＦＲ（Ａ）  ´を電力増幅したあとＡ系統のフロントスピーカ８Ｌ、８Ｒを駆動する。また、リアパワーアンプ１１Ｌ、１１Ｒは、第２音量調整回路１０Ｌ、１０Ｒから出力されたアナログステレオリアオーディオ信号ＲＬ（Ａ）  ´、ＲＲ（Ａ）  ´を電力増幅したあとリアスピーカ１３Ｌ、１３Ｒを駆動する。これにより、サラウンド音場が実現されるとともに、第１音量調整回路５Ｌ、５Ｒと、第２音量調整回路１０Ｌ、１０Ｒにより、フロント側とリア側を独立して音量調整できる。
【００３２】
これと異なり、ユーザが操作パネル１６で（Ａ＋Ｂ）系統モードである（Ａ＋Ｂ）ポジションへの切り換え操作をすると、コントローラ１７Ａは切り換え回路２０Ｌ、２０Ｒを第１音量調整回路５Ｌ、５Ｒの側に切り換えさせ、リレースイッチ７Ｌ、７Ｒと１４Ｌ、１４Ｒを閉とさせ、１２Ｌ、１２Ｒは開とする。
【００３３】
この結果、フロントパワーアンプ６Ｌ、６Ｒは、第１音量調整回路５Ｌ、５Ｒから出力されたアナログステレオフロントオーディオ信号ＦＬ（Ａ）  ´、ＦＲ（Ａ）  ´を電力増幅したあとＡ系統のフロントスピーカ８Ｌ、８Ｒを駆動する。また、リアパワーアンプ１１Ｌ、１１Ｒも第１音量調整回路５Ｌ、５Ｒから出力されたアナログステレオフロントオーディオ信号ＦＬ（Ａ）  ´、ＦＲ（Ａ）  ´を電力増幅したあとＢ系統のフロントスピーカ１５Ｌ、１５Ｒを駆動する。これにより、（Ａ＋Ｂ）系統での再生が可能となり、第１音量調整回路５Ｌ、５Ｒで音量調整もできる。
【００３４】
この実施の形態によれば、フロントパワーアンプ６Ｌ、６Ｒ、リアパワーアンプ１１Ｌ、１１Ｒに負担を掛けることなく（Ａ＋Ｂ）系統の再生が可能となり、歪の発生を回避して音質の悪化を防いだり、フロントパワーアンプ６Ｌ，６Ｒとリアパワーアンプ１１Ｌ、１１Ｒのいずれも、大きな電流が流れるのを抑えて、容量の大きな終段トランジスタや放熱器の使用を回避することができる。
【００３５】
次に、図２を参照して本発明の第２の実施の形態を説明する。
図２は本発明に係るサラウンドオーディオ再生系のブロック図であり、図１と同一の構成部分には同一の符号が付してある。
アンチエリアシングフィルタ４Ｌ、４Ｒ、９Ｌ、９Ｒの出力側と、第１音量調整回路５Ｌ、５Ｒ、第２音量調整回路１０Ｌ、１０Ｒの入力側との間に、入力選択回路２１が介装されている。この入力選択回路２１では、アンチエリアシングフィルタ４Ｌ、４Ｒの出力側はそのまま第１音量調整回路５Ｌ、５Ｒと接続されている。
【００３６】
一方、第２音量調整回路１０Ｌ、１０Ｒの入力側には、マイコン構成のコントローラ１７Ｂによって切り換え制御がされる切り換え回路２１Ｌ、２１Ｒが設けられており、第２音量調整回路１０Ｌの入力側を、アンチエリアシングフィルタ４Ｌと９Ｌの間で切り換え可能となっており、第２音量調整回路１０Ｒの入力側を、アンチエリアシングフィルタ４Ｒと９Ｒの間で切り換え可能となっている。Ｂ系統のフロントスピーカ出力端子ＳＰＦＬ（Ｂ）  、ＳＰＦＲ（Ｂ）  と接続されたリレースイッチ１４Ｌ、１４Ｒは、リアパワーアンプ１１Ｌ、１１Ｒと接続されている。リレースイッチ７Ｌ、７Ｒ、１２Ｌ、１２Ｒ、１４Ｌ、１４Ｒにより、出力選択回路３０が構成されている。
その他の構成部分は図１と同一に構成されている。
【００３７】
このように構成されたサラウンドオーディオ再生系において、ユーザが操作パネル１６でＯＦＦのポジションに切り換えているとき、コントローラ１７Ｂは出力選択回路３０のリレースイッチ７Ｌ、７Ｒ、１２Ｌ、１２Ｒ、１４Ｌ、１４Ｒのいずれも開状態とさせており、いずれのスピーカ出力もオフさせている。
ユーザが操作パネル１６でＡポジションへの切り換え操作をすると、コントローラ１７Ｂは入力選択回路２１の切り換え回路２１Ｌ、２１Ｒをアンチエリアシングフィルタ９Ｌ、９Ｒの側に切り換えさせ、出力選択回路３０のリレースイッチ７Ｌ、７Ｒと１２Ｌ、１２Ｒを閉とさせ、１４Ｌ、１４Ｒは開のままとする。
【００３８】
この結果、フロントパワーアンプ６Ｌ、６Ｒは、アンチエリアシングフィルタ４Ｌ、４Ｒから出力され、第１音量調整回路５Ｌ、５Ｒで音量調整されたアナログステレオフロントオーディオ信号ＦＬ（Ａ）  ´、ＦＲ（Ａ）  ´を電力増幅したあとＡ系統のフロントスピーカ８Ｌ、８Ｒを駆動する。また、リアパワーアンプ１１Ｌ、１１Ｒは、アンチエリアシングフィルタ９Ｌ、９Ｒから出力され、第２音量調整回路１０Ｌ、１０Ｒで音量調整されたアナログステレオリアオーディオ信号ＲＬ（Ａ）  ´、ＲＲ（Ａ）  ´を電力増幅したあとリアスピーカ１３Ｌ、１３Ｒを駆動する。これにより、サラウンド音場が実現されるとともに、第１音量調整回路５Ｌ，５Ｒと、第２音量調整回路１０Ｌ，１０Ｒにより、フロント側とリア側を独立して音量調整できる。
【００３９】
これと異なり、ユーザが操作パネル１６で（Ａ＋Ｂ）ポジションへの切り換え操作をすると、コントローラ１７Ｂは入力選択回路２１の切り換え回路２１Ｌ、２１Ｒをアンチエリアシングフィルタ４Ｌ、４Ｒの側に切り換えさせ、出力選択回路３０のリレースイッチ７Ｌ、７Ｒと１４Ｌ、１４Ｒを閉とさせ、１２Ｌ、１２Ｒは開とする。
【００４０】
この結果、フロントパワーアンプ６Ｌ、６Ｒは、アンチエリアシングフィルタ４Ｌ、４Ｒから出力され、第１音量調整回路５Ｌ、５Ｒで音量調整されたアナログステレオフロントオーディオ信号ＦＬ（Ａ）  ´、ＦＲ（Ａ）  ´を電力増幅したあとＡ系統のフロントスピーカ８Ｌ、８Ｒを駆動する。また、リアパワーアンプ１１Ｌ、１１Ｒは、アンチエリアシングフィルタ４Ｌ、４Ｒから出力され、第２音量調整回路１０Ｌ、１０Ｒで音量調整されたアナログステレオフロントオーディオ信号ＦＬ（Ａ）  ＊  、ＦＲ（Ａ）  ＊  を電力増幅したあとＢ系統のフロントスピーカ１５Ｌ、１５Ｒを駆動する。これにより、（Ａ＋Ｂ）系統での再生が可能となり、第１音量調整回路５Ｌ、５Ｒと、第２音量調整回路１０Ｌ、１０Ｒとにより、Ａ系統とＢ系統を独立して音量調整することもできる。
【００４１】
この実施の形態によれば、フロントパワーアンプ６Ｌ、６Ｒ、リアパワーアンプ１１Ｌ、１１Ｒに負担を掛けることなく（Ａ＋Ｂ）系統の再生が可能となり、歪の発生を回避して音質の悪化を防いだり、フロントパワーアンプ６Ｌ、６Ｒとリアパワーアンプ１１Ｌ、１１Ｒのいずれも、大きな電流が流れるのを抑えて、容量の大きな終段トランジスタや放熱器の使用を回避することができる。
また、第１音量調整回路５Ｌ、５Ｒと、第２音量調整回路１０Ｌ、１０Ｒとにより、Ａ系統とＢ系統を独立して音量調整することもできる。
【００４２】
次に、図３を参照して本発明の第３の実施の形態を説明する。
図３は本発明に係るサラウンドオーディオ再生系のブロック図であり、図５と同一の構成部分には同一の符号が付してある。
Ｄ／Ａ変換器３Ｃは、マイコン構成のコントローラ１７Ｃの切り換え制御により、動作モードを第１モードと第２モードに切り換え可能とし、第１動作モードのとき、第１出力端子Ｌ１、Ｒ１からアナログステレオフロントオーディオ信号ＦＬ（Ａ）  、ＦＲ（Ａ）  、第２出力端子Ｌ２、Ｒ２からアナログステレオリアオーディオ信号ＲＬ（Ａ）  、ＲＲ（Ａ）  を出力し、第２動作モードのとき、第１出力端子Ｌ１、Ｒ１と第２出力端子Ｌ２、Ｒ２からともにアナログステレオフロントオーディオ信号ＦＬ（Ａ）  、ＦＲ（Ａ）  を出力するようになっている。
【００４３】
Ｂ系統のフロントスピーカ出力端子ＳＰＦＬ（Ｂ）  、ＳＰＦＲ（Ｂ）  と接続されたリレースイッチ１４Ｌ、１４Ｒは、リアパワーアンプ１１Ｌ、１１Ｒと接続されている。リレースイッチ７Ｌ、７Ｒ、１２Ｌ、１２Ｒ、１４Ｌ、１４Ｒにより、出力選択回路３０が構成されている。
その他の構成部分は図５と同一に構成されている。
【００４４】
このように構成されたサラウンドオーディオ再生系において、ユーザが操作パネル１６でＯＦＦのポジションに切り換えているとき、コントローラ１７Ｃは出力選択回路３０のリレースイッチ７Ｌ、７Ｒ、１２Ｌ、１２Ｒ、１４Ｌ、１４Ｒのいずれも開状態とさせており、いずれのスピーカ出力もオフさせている。
ユーザが操作パネル１６でＡポジションへの切り換え操作をすると、コントローラ１７ＣはＤ／Ａ変換器３Ｃの動作モードを第１モードに切り換えさせ、出力選択回路３０のリレースイッチ７Ｌ、７Ｒと１２Ｌ、１２Ｒを閉とさせ、１４Ｌ、１４Ｒは開のままとする。
【００４５】
この結果、フロントパワーアンプ６Ｌ、６Ｒには、Ｄ／Ａ変換器３Ｃの第１出力端子Ｌ１、Ｒ１から出力されたアナログステレオフロントオーディオ信号ＦＬ（Ａ）  、ＦＲ（Ａ）  が、アンチエリアシングフィルタ４Ｌ、４Ｒ、第１音量調整回路５Ｌ、５Ｒを介して入力され、電力増幅後、Ａ系統のフロントスピーカ８Ｌ、８Ｒを駆動する。また、リアパワーアンプ１１Ｌ、１１Ｒには、Ｄ／Ａ変換器３Ｃの第２出力端子Ｌ２、Ｒ２から出力されたアナログステレオリアオーディオ信号ＲＬ（Ａ）  、ＲＲ（Ａ）  が、アンチエリアシングフィルタ９Ｌ、９Ｒ、第２音量調整回路１０Ｌ、１０Ｒを介して入力され、電力増幅後、リアスピーカ１３Ｌ、１３Ｒを駆動する。これにより、サラウンド音場が実現されるとともに、第１音量調整回路５Ｌ、５Ｒと、第２音量調整回路１０Ｌ、１０Ｒにより、フロント側とリア側を独立して音量調整できる。
【００４６】
これと異なり、ユーザが操作パネルで（Ａ＋Ｂ）ポジションへの切り換え操作をすると、コントローラ１７ＣはＤ／Ａ変換器３Ｃの動作モードを第２モードに切り換えさせ、出力選択回路３０のリレースイッチ７Ｌ、７Ｒと１４Ｌ、１４Ｒを閉とさせ、１２Ｌ、１２Ｒは開とする。
【００４７】
この結果、フロントパワーアンプ６Ｌ、６Ｒには、Ｄ／Ａ変換器３Ｃの第１出力端子Ｌ１、Ｒ１から出力されたアナログステレオフロントオーディオ信号ＦＬ（Ａ）  、ＦＲ（Ａ）  が、アンチエリアシングフィルタ４Ｌ、４Ｒ、第１音量調整回路５Ｌ、５Ｒを介して入力され、電力増幅後、Ａ系統のフロントスピーカ８Ｌ、８Ｒを駆動する。また、リアパワーアンプ１１Ｌ、１１Ｒには、Ｄ／Ａ変換器３の第２出力端子Ｌ２、Ｒ２から出力されたアナログステレオフロントオーディオ信号ＦＬ（Ａ）  、ＦＲ（Ａ）  が、アンチエリアシングフィルタ９Ｌ、９Ｒ、第２音量調整回路１０Ｌ、１０Ｒを介して入力され、電力増幅後、Ｂ系統のフロントスピーカ１３Ｌ、１３Ｒを駆動する。
これにより、（Ａ＋Ｂ）系統での再生が可能となり、第１音量調整回路５Ｌ、５Ｒと第２音量調整回路１０Ｌ，１０ＲとでＡ系統とＢ系統独立して音量調整できる。
【００４８】
この実施の形態によれば、フロントパワーアンプ６Ｌ、６Ｒ、リアパワーアンプ１１Ｌ、１１Ｒに負担を掛けることなく（Ａ＋Ｂ）系統の再生が可能となり、歪の発生を回避して音質の悪化を防いだり、フロントパワーアンプ６Ｌ，６Ｒとリアパワーアンプ１１Ｌ、１１Ｒのいずれも、大きな電流が流れるのを抑えて、容量の大きな終段トランジスタや放熱器の使用を回避することができる。また、特別な切り換え回路を設けなくて済み、第１音量調整回路５Ｌ、５Ｒと第２音量調整回路１０Ｌ、１０ＲとでＡ系統とＢ系統独立して音量調整することもできる。
【００４９】
なお、図１のサラウンドオーディオ再生系の出力選択回路３０´を図４に示す如く変形し、フロントパワーアンプ６Ｌ、６Ｒの出力側と、Ｂ系統のフロントスピーカ出力端子ＳＰＦＬ（Ｂ）  、ＳＰＦＲ（Ｂ）  の間にもリレースイッチ１８Ｌ、１８Ｒを設け、操作パネル１６でＯＦＦポジション、Ａポジション、（Ａ＋Ｂ）ポジションが選択されているときは、コントローラ１７Ａはリレースイッチ１８Ｌ、１８Ｒを開のままとし、他のリレースイッチと入力選択回路２０については、ポジションに応じて図１と全く同様に切り換えるようにしておく。
【００５０】
一方、操作パネル１６でＢ系統モードであるＢポジションが選択されたときは、コントローラ１７Ａは入力選択回路２０の切り換え回路２０Ｌ、２０Ｒを第２音量調整回路１０Ｌ、１０Ｒの側に切り換え、出力選択回路３０´のリレースイッチ１８Ｌ、１８Ｒ、１２Ｌ、１２Ｒを閉とし、７Ｌ、７Ｒを開とすることで、Ｂ系統のフロントスピーカ１５Ｌ、１５Ｒとリアスピーカ１３Ｌ、１３Ｒによるサラウンド音場の実現が可能となり、Ａ系統のフロントスピーカ８Ｌ、８Ｒとリアスピーカ１３Ｌ、１３Ｒによるサラウンド音場とは異なった音場を具現できる。この際、フロントパワーアンプ６Ｌ、６Ｒと、リアパワーアンプ１１Ｌ、１１Ｒはいずれも１つのスピーカ負荷が繋がるだけなので、負担が掛からず、歪の発生を回避して音質の悪化を防いだり、フロントパワーアンプ６Ｌ、６Ｒと、リアパワーアンプ１１Ｌ、１１Ｒに大きな電流が流れるのを抑えて、容量の大きな終段トランジスタや放熱器の使用を回避することもできる。
【００５１】
図２、図３のサラウンドオーディオ再生系についても、出力選択回路を図４の如く変え、操作パネル１６でＯＦＦポジション、Ａポジション、（Ａ＋Ｂ）ポジションが選択されているときは、コントローラ１７Ｂ（図２の場合）または１７Ｃ（図３の場合）はリレースイッチ１８Ｌ、１８Ｒを開のままとし、他のリレースイッチと入力選択回路２１（図２の場合）またはＤ／Ａ変換器３Ｃ（図３の場合）については、ポジションに応じて図２または図３と全く同様に切り換えるようにしておく。
【００５２】
一方、操作パネル１６でＢ系統モードであるＢポジションが選択されたときは、入力選択回路２１の切り換え回路２１Ｌ、２１Ｒをアンチエリアシングフィルタ９Ｌ、９Ｒの側に切り換え、出力選択回路３０´のリレースイッチ１８Ｌ、１８Ｒ、１２Ｌ、１２Ｒを閉とし、７Ｌ、７Ｒを開とすることで、Ｂ系統のフロントスピーカ１５Ｌ、１５Ｒとリアスピーカ１３Ｌ、１３Ｒによるサラウンド音場の実現が可能となり、Ａ系統のフロントスピーカ８Ｌ、８Ｒとリアスピーカ１３Ｌ、１３Ｒによるサラウンド音場とは異なった音場を具現できる。
【００５３】
これと異なり、図１のサラウンドオーディオ再生系の内、入力選択回路２０について、フロントパワーアンプ６Ｌ、６Ｒの入力側にも、フロントパワーアンプ６Ｌの入力を第１音量調整回路５Ｌの出力と第２音量調整回路１０Ｌの出力との間で切り換える切り換え回路（図示せず）と、フロントパワーアンプ６Ｒの入力を第１音量調整回路５Ｒの出力と第２音量調整回路１０Ｒの出力との間で切り換える切り換え回路（図示せず）とを追加し、フロントパワーアンプ６Ｌ、６Ｒの入力を、アナログステレオフロントオーディオ信号ＦＬ（Ａ）  ´、ＦＲ（Ａ）  ´と、アナログステレオリアオーディオ信号ＲＬ（Ａ）  ´、ＲＲ（Ａ）  ´とに切り換え可能としておく。
【００５４】
そして、操作パネル１６でＯＦＦポジション、Ａポジション、（Ａ＋Ｂ）ポジションに切り換えられたとき、コントローラ１７Ａは出力選択回路３０についてと、入力選択回路２０の切り換え回路２０Ｌ、２０Ｒについては図１の場合と全く同じ制御をし、フロントパワーアンプ６Ｌ、６Ｒにはアナログステレオフロントオーディオ信号ＦＬ（Ａ）  ´、ＦＲ（Ａ）  ´が入力されるようにする。
一方、Ｂポジションに切り換えられたとき、出力選択回路３０のリレースイッチ７Ｌ、７Ｒ、１４Ｌ、１４Ｒを閉じ、入力選択回路２０では、フロントパワーアンプ６Ｌ、６Ｒにはアナログステレオリアオーディオ信号ＲＬ（Ａ）  ´、ＲＲ（Ａ）  ´が入力されるようにし、リアパワーアンプ１１Ｌ、１１Ｒにはアナログステレオフロントオーディオ信号ＦＬ（Ａ）  ´、ＦＲ（Ａ）  ´が入力されるようにすることで、Ｂ系統のフロントスピーカ１５Ｌ、１５Ｒと、Ａ系統のフロントスピーカ８Ｌ、８Ｒによるサラウンド音場の実現が可能となり、Ａ系統のフロントスピーカ８Ｌ、８Ｒとリアスピーカ１３Ｌ、１３Ｒによるサラウンド音場とは異なった音場を具現できる。
【００５５】
Ｂ系統の再生をする際、フロントパワーアンプ６Ｌ、６Ｒと、リアパワーアンプ１１Ｌ、１１Ｒはいずれも１つのスピーカ負荷が繋がるだけなので、負担が掛からず、歪の発生を回避して音質の悪化を防いだり、フロントパワーアンプ６Ｌ、６Ｒと、リアパワーアンプ１１Ｌ、１１Ｒに大きな電流が流れるのを抑えて、容量の大きな終段トランジスタや放熱器の使用を回避することもできる。
また、フロントパワーアンプ６Ｌ、６ＲとＡ系統のフロントスピーカ８Ｌ、８Ｒを組み合わせた総合音場特性が良好であり、リアパワーアンプ１１Ｌ、１１ＲとＢ系統のフロントスピーカ１５Ｌ、１５Ｒを組み合わせた総合音場特性が良好な場合、Ａ系統の再生を行うときと、Ｂ系統の再生を行うときに、いずれも良好な総合音場特性を実現できる。
【００５６】
図２のサラウンドオーディオ再生系についても、入力選択回路２１について、第１音量調整回路５Ｌ、５Ｒの入力側にも、第１音量調整回路５Ｌの入力をアンチエリアシングフィルタ４Ｌの出力と９Ｌの出力の間で切り換える切り換え回路（図示せず）と、第１音量調整回路５Ｒの入力をアンチエリアシングフィルタ４Ｒの出力と９Ｒの出力の間で切り換える切り換え回路（図示せず）とを追加し、第１音量調整回路５Ｌ、５Ｒの入力を、アナログステレオフロントオーディオ信号と、アナログステレオリアオーディオ信号とに切り換え可能としておく。
【００５７】
そして、操作パネル１６でＯＦＦポジション、Ａポジション、（Ａ＋Ｂ）ポジションに切り換えられたとき、システムコントローラ１７Ｂは出力選択回路３０についてと、入力選択回路２１の切り換え回路２１Ｌ、２１Ｒについては図２の場合と全く同じ制御をし、第１音量調整回路５Ｌ、５Ｒにはアナログステレオフロントオーディオ信号が入力されるようにする。
一方、Ｂポジションに切り換えられたとき、出力選択回路３０のリレースイッチ７Ｌ、７Ｒ、１４Ｌ、１４Ｒを閉じ、入力選択回路２１では、第１音量調整回路５Ｌ、５Ｒにはアナログステレオリアオーディオ信号が入力されるようにし、第２音量調整回路１０Ｌ、１０Ｒにはアナログステレオフロントオーディオ信号が入力されるようにすることで、Ｂ系統のフロントスピーカ１５Ｌ、１５Ｒと、Ａ系統のフロントスピーカ８Ｌ、８Ｒによるサラウンド音場の実現が可能となり、Ａ系統のフロントスピーカ８Ｌ、８Ｒとリアスピーカ１３Ｌ、１３Ｒによるサラウンド音場とは異なった音場を具現できる。
【００５８】
図３のサラウンドオーディオ再生系についても、Ｄ／Ａ変換器３Ｃについて、動作モードを前述した第１モードと第２モードに加えて、第１出力端子Ｌ１、Ｒ１からアナログステレオリアオーディオ信号ＲＬ（Ａ）  、ＲＲ（Ａ）  を出力し、第２出力端子Ｌ２、Ｒ２からアナログステレオフロントオーディオ信号ＦＬ（Ａ）  、ＦＲ（Ａ）  を出力する第３モードに切り換え可能としておく。
【００５９】
そして、操作パネル１６でＯＦＦポジション、Ａポジション、（Ａ＋Ｂ）ポジションに切り換えられたとき、システムコントローラ１７Ｃは出力選択回路３０についてと、Ｄ／Ａ変換器３Ｃについて、図３の場合と全く同じ制御をし、一方、Ｂポジションに切り換えられたとき、出力選択回路３０のリレースイッチ７Ｌ、７Ｒ、１４Ｌ、１４Ｒを閉じ、１２Ｌ、１２Ｒを開き、Ｄ／Ａ変換器３Ｃを第３モードに切り換え、フロントパワーアンプ６Ｌ、６Ｒにはアナログステレオリアオーディオ信号が入力されるようにし、リアパワーアンプ１１Ｌ、１１Ｒにはアナログステレオフロントオーディオ信号が入力されるようにすることで、Ｂ系統のフロントスピーカ１５Ｌ、１５Ｒと、Ａ系統のフロントスピーカ８Ｌ、８Ｒによるサラウンド音場の実現が可能となり、Ａ系統のフロントスピーカ８Ｌ、８Ｒとリアスピーカ１３Ｌ、１３Ｒによるサラウンド音場とは異なった音場を具現できる。
【００６０】
【発明の効果】
本発明によれば、第１パワーアンプ、第２パワーアンプに負担を掛けることなく（Ａ＋Ｂ）系統の再生が可能となり、歪の発生を回避して音質の悪化を防いだり、第１パワーアンプ、第２パワーアンプに大きな電流が流れるのを抑えて、容量の大きな終段トランジスタや放熱器の使用を回避することができる。
また、第１パワーアンプとＡ系統フロントスピーカを組み合わせた総合音場特性が良好であり、第２パワーアンプとＢ系統フロントスピーカを組み合わせた総合音場特性が良好な場合、Ａ系統の再生を行うときと、Ｂ系統の再生を行うときに、いずれも良好な総合音場特性を実現させることができる。
【図面の簡単な説明】
【図１】本発明の第１の実施の形態に係るサラウンドオーディオ再生系の構成を示すブロック図である。
【図２】本発明の第２の実施の形態に係るサラウンドオーディオ再生系の構成を示すブロック図である。
【図３】本発明の第３の実施の形態に係るサラウンドオーディオ再生系の構成を示すブロック図である。
【図４】図１の変形例に係るサラウンドオーディオ再生系の構成を示すブロック図である。
【図５】従来のサラウンドオーディオ再生系の構成を示すブロック図である。
【符号の説明】
２  ＤＳＰ                        ３、３Ｃ  Ｄ／Ａ変換器
４Ｌ、４Ｒ、９Ｌ、９Ｒ  アンチエリアシングフィルタ
５Ｌ、５Ｒ  第１音量調整回路      ６Ｌ、６Ｒ  フロントパワーアンプ
７Ｌ、７Ｒ、１２Ｌ、１２Ｒ、１４Ｌ、１４Ｒ、１８Ｌ、１８Ｒ  リレースイッチ
８Ｌ、８Ｒ  フロントスピーカ      １０Ｌ、１０Ｒ  第２音量調整回路
１１Ｌ、１１Ｒ  リアパワーアンプ  １３Ｌ、１３Ｒ  リアスピーカ
１５Ｌ、１５Ｒ  フロントスピーカ  １６  操作パネル
１７Ａ、１７Ｂ、１７Ｃ  コントローラ
２０、２１  入力選択回路          ３０、３０´  出力選択回路
【図１】
0003559837.tif 000002
【図２】
0003559837.tif 000003
【図３】
0003559837.tif 000004
【図４】
0003559837.tif 000005
【図５】
0003559837.tif 000006